(57)【特許請求の範囲】
【請求項１】
コンクリートブロック(Ｂ)をクレーンによって積み込み及び積み降ろしする際に使用されるコンクリートブロックの吊上げ用治具であって、
多角形状の金属製の天枠(１)と、
該天枠(１)に掛け渡された桁材(1a)に玉掛けされておりコンクリートブロック(Ｂ)を吊上げるためのコンクリートブロック用玉掛けワイヤ(２)と、
一端に錘(3a)が取り付けられていて他端がクレーンのフック(Ｆ)に玉掛けされるクレーンフック用ワイヤ(３)と、
該天枠(１)の各角部(1b)にそれぞれ該天枠(１)に対して鉛直方向に固定されていて、中空筒状を成しその内部に該クレーンフック用ワイヤ(３)の一端に取り付けられた該錘(3a)が摺動自在に内在されており、該天枠(１)側の端部に該クレーンフック用ワイヤ(３)を通し該錘(3a)は通さない大きさの内径を有する中空筒状緩衝材(4a)が、該天枠(１)と反対側の端部に錘衝突緩衝材(4b)がそれぞれ設置されている脚体(４)と、
該天枠(１)の各角部(1b)の上部に取り付けられており、該クレーンフック用ワイヤ(３)を該脚体(４)内に案内する滑車(５)と、
外面の形状がコンクリートブロック(Ｂ)の側方(Ba)の一部と同形を成し、該天枠(１)に対して鉛直方向に固定されているガイド板(６)と
から構成されていることを特徴とするコンクリートブロックの吊上げ用治具。
【発明の詳細な説明】
【技術分野】
【０００１】
本発明は、コンクリートブロックをクレーンによって積み込みや積み降ろしする際、特に起重機船上等のような揺れの影響を受け易い状況にあっても、安全且つ確実に作業ができるコンクリートブロックの吊上げ用治具に関するものである。
【背景技術】
【０００２】
クレーンでは、フックが巻き上げ用のワイヤによって吊り下げられているため、そのワイヤが捩れているような場合にはフックが回転したり、風の影響や起重機船上等では波の影響によりフックが大きく揺れたりすることがしばしばある。特にコンクリートブロックのような重量物を大型のクレーンで吊り上げる際は、フックも大型であるため回転したり揺れたりすると、ワイヤの玉掛け作業や玉外し作業は非常に危険なものとなる。またワイヤが玉掛けされた後においても、フックが回転したり揺れたりすると、ワイヤが引っ張られたり撓んだりして作業者がワイヤに巻き込まれて非常に危険な状態にさらされることがある。そのため、大型のクレーンのフックにロープやワイヤを渡して、作業員が長時間に亘ってロープやワイヤを引っ張ってフックを動かないようにして作業を行うなどの方策がとられるが、重労働である上に、フックの急激な動きに対しては必ずしも対応することができない。
【０００３】
また、吊り上げられるコンクリートブロックも重量物である上に、特殊な形状をしているものもあり、ワイヤを適切にコンクリートブロックに掛け渡してバランスよく吊り上げないと大きな事故を招くことがある。またこのようなコンクリートブロックにワイヤを張り巡らすように掛け渡す作業や、このように掛け渡された状態を維持したままクレーンのフックに玉掛けすることは非常に危険な作業であり、作業者がワイヤに挟まれるなどの事故が起こり易い。
【０００４】
そのため、例えばワイヤを玉掛けするためのワイヤ係止部材をコンクリートブロックに予め固設させることにより、コンクリートブロックにワイヤを張り巡らせることなく、そのワイヤ係止部材に玉掛けするだけで、容易にワイヤで吊り上げることができるコンクリートブロックが使用されることがある。
【０００５】
このようなワイヤ係止部材を固設させたコンクリートブロックを使用すれば、クレーンのフックに玉掛けされているワイヤの一端をワイヤ係止部材に引っ掛けるだけで容易にワイヤを取り付けることができるが、このような場合であっても、クレーンのフック等の急激な動きによって、作業者がワイヤに巻き込まれて怪我等をすることがある。
【０００６】
このようにコンクリートブロックと、クレーンのフックとを１本のワイヤで直接繋ぐように玉掛けすると、作業員が危険にさらされることがあるという問題に対しては、クレーンのフックに玉掛けするワイヤと、吊り上げ対象物（板状体）に係止させる吊りワイヤとをそれぞれ別々にして、平面形状が長方形を呈する枠材を介してそれぞれのワイヤを連結した吊り治具がある（例えば、特許文献１参照。）。
【０００７】
しかしながら、このようにクレーンフック用のワイヤと、吊り上げ対象物（板状体）用のワイヤとを別々にしても、結局は枠材を介して一体となっているので、クレーンのフックが大きく動けばそのクレーンフック用のワイヤも大きく揺れ、枠材を介して一体となっている吊り上げ対象物（板状体）用のワイヤも大きく動くので、結果的には１本のワイヤとあまり相違がなく、作業者にとっては依然として危険な作業が強いられることになるのである。
【先行技術文献】
【特許文献】
【０００８】
【特許文献１】特開２０００−２６５６６７号公報（図１）
【発明の概要】
【発明が解決しようとする課題】
【０００９】
本発明は前記の問題に鑑み、コンクリートブロックをクレーンによって積み込みや積み降ろしする際、特に起重機船上等のような揺れの影響を受け易い状況にあっても、安全且つ確実に作業ができるコンクリートブロックの吊上げ用治具を提供することを課題とする。
【課題を解決するための手段】
【００１０】
本発明者らは前記課題を解決すべく鋭意検討を重ねた結果、コンクリートブロックの吊上げ用治具として、吊り上げるコンクリートブロックの形状に合わせた多角形状の金属製の天枠と、この天枠に掛け渡された桁材に玉掛けされておりコンクリートブロックを吊上げるためのコンクリートブロック用玉掛けワイヤと、一端に錘が取り付けられていて他端がクレーンのフックに玉掛けされるクレーンフック用ワイヤとを使用し、クレーンフック用ワイヤの一端に取り付けた錘を天枠の各角部に固定した中空筒状の脚体に摺動自在に内在させれば、コンクリートブロックを吊り上げていない状態では、コンクリートブロック用玉掛けワイヤは、クレーンフック用ワイヤとは無関係に動き得るから、コンクリートブロックに対する玉掛け作業や玉外し作業中に急にクレーンのフックが動いてクレーンフック用ワイヤが引っ張られたりしても、クレーンフック用ワイヤは脚体内を上下に摺動するだけでコンクリートブロック用玉掛けワイヤは連動して動かないので、非常に安全に作業をすることができ、
またクレーンフック用ワイヤは一端に錘を付けた状態で脚体内を上下に摺動自在に移動できるので、この状態ではクレーンフック用ワイヤは錘の自重によって引っ張られた状態となり撓むことがないので、クレーンのフックが大きく揺れたりしてもクレーンフック用ワイヤが撓んで、作業者がクレーンフック用ワイヤに巻き込まれたりすることがなく安全に作業することができ、
また脚体の天枠側の端部にクレーンフック用ワイヤを通し錘は通さない大きさの内径を有する中空筒状緩衝材を設置すれば、クレーンフック用ワイヤをクレーンのフックに、コンクリートブロック用玉掛けワイヤをコンクリートブロックのワイヤ係止部材にそれぞれ玉掛けした後に、クレーンのフックを引き上げて行くと、クレーンフック用ワイヤの一端に取り付けられた錘が脚体内を上昇して最終的に脚体の天枠側の端部の中空筒状緩衝材に当接することで、クレーンフック用ワイヤは天枠と連動して動くようになり、この天枠の桁材に玉掛けされているコンクリートブロック用玉掛けワイヤとも一体となって動くようになるので、実際のコンクリートブロックの吊り上げ作業中において確実にコンクリートブロックを吊り上げることができ、
また脚体の天枠と反対側の端部に錘衝突緩衝材を設置すれば、クレーンのフックが急激に動き、クレーンフック用ワイヤの一端に取り付けられている錘が脚体の底に衝突しそうになった場合でも錘衝突緩衝材がクッションとなり脚体の破損を防ぐことができると共に、クレーンフック用ワイヤをクレーンのフックに玉掛けしていない不使用状態時などに錘が脚体の底から抜けることを防止することができ、
更に天枠の各角部の上部に、クレーンフック用ワイヤを脚体内に案内する滑車を取り付けておけば、クレーンフック用ワイヤが脚部の角等で傷付いて損傷することがなく、またそのクレーンフック用ワイヤの一端に取り付けられた錘を脚部内でスムーズに摺動自在に動かすことができ、
そして、外面の形状がコンクリートブロックの側方の一部と同形を成し、天枠に対して鉛直方向に固定されているガイド板を設けておけば、そのガイド板を同形のコンクリートブロックの側方に当接させるように移動させるだけで、的確にコンクリートブロック上に位置にさせることができ、更にその位置から吊上げ用治具を降ろしてくることによって、脚体をコンクリートブロック上に正確に載せることが容易にできることを究明して本発明を完成したのである。
【００１１】
即ち本発明は、コンクリートブロックをクレーンによって積み込み及び積み降ろしする際に使用されるコンクリートブロックの吊上げ用治具であって、多角形状の金属製の天枠と、天枠に掛け渡された桁材に玉掛けされておりコンクリートブロックを吊上げるためのコンクリートブロック用玉掛けワイヤと、一端に錘が取り付けられていて他端がクレーンのフックに玉掛けされるクレーンフック用ワイヤと、天枠の各角部にそれぞれ天枠に対して鉛直方向に固定されていて、中空筒状を成しその内部にクレーンフック用ワイヤの一端に取り付けられた錘が摺動自在に内在されており、天枠側の端部にクレーンフック用ワイヤを通し錘は通さない大きさの内径を有する中空筒状緩衝材が、天枠と反対側の端部に錘衝突緩衝材がそれぞれ設置されている脚体と、天枠の各角部の上部に取り付けられており、クレーンフック用ワイヤを脚体内に案内する滑車と、外面の形状がコンクリートブロックの側方の一部と同形を成し、天枠に対して鉛直方向に固定されているガイド板とから構成されていることを特徴とするコンクリートブロックの吊上げ用治具である。
【発明の効果】
【００１２】
本発明に係るコンクリートブロックの吊上げ用治具は、コンクリートブロックをクレーンによって積み込み及び積み降ろしする際に使用されるコンクリートブロックの吊上げ用治具であって、多角形状の金属製の天枠と、天枠に掛け渡された桁材に玉掛けされコンクリートブロックを吊上げるためのコンクリートブロック用玉掛けワイヤと、一端に錘が取り付けられていて他端がクレーンのフックに玉掛けされるクレーンフック用ワイヤと、天枠の各角部にそれぞれ天枠に対して鉛直方向に固定されていて、中空筒状を成しその内部にクレーンフック用ワイヤの一端に取り付けられた錘が摺動自在に内在されており、天枠側の端部にクレーンフック用ワイヤを通し錘は通さない大きさの内径を有する中空筒状緩衝材が、天枠と反対側の端部に錘衝突緩衝材がそれぞれ設置されている脚体とを有しているから、
コンクリートブロックを吊り上げていない状態では、コンクリートブロック用玉掛けワイヤはクレーンフック用ワイヤとは無関係に動き得るので、コンクリートブロックに対する玉掛け作業や玉外し作業中に急にクレーンのフックが動いてクレーンフック用ワイヤが引っ張られたりしても、クレーンフック用ワイヤは脚体内を摺動するだけでコンクリートブロック用玉掛けワイヤは連動して動かないので、非常に安全に作業をすることができ、
またクレーンフック用ワイヤは一端に錘を付けた状態で脚体内を摺動自在に移動できるので、この状態では常にクレーンフック用ワイヤは錘の自重によって引っ張られた状態となり撓むことがないので、クレーンのフックが大きく揺れたりしてもクレーンフック用ワイヤが撓んだりすることがないので、作業者がクレーンフック用ワイヤに巻き込まれたりすることがなく安全に作業することができ、
また脚体の天枠側の端部に、クレーンフック用ワイヤを通し錘は通さない大きさの内径を有する中空筒状緩衝材が設置されているから、クレーンフック用ワイヤをクレーンのフックに、コンクリートブロック用玉掛けワイヤをコンクリートブロックのワイヤ係止部材にそれぞれ玉掛けした後に、クレーンのフックを引き上げて行くと、クレーンフック用ワイヤの一端に取り付けられた錘が脚体内を上昇して最終的に脚体の天枠側の端部の中空筒状緩衝材に当接することで、クレーンフック用ワイヤは天枠と連動して動くようになり、この天枠の桁材に取り付けられコンクリートブロック用玉掛けワイヤとも一体となって動くようになるので、実際のコンクリートブロックの吊り上げ作業中において確実にコンクリートブロックを吊り上げることができ、
また特許文献１の吊り治具の脚体（支持脚８）は、吊り治具を使用しないときに、ワイヤ等を傷めないように、枠材の下に空間を確保するためのものであるが（特許文献１  段落番号００１０）、本発明に係るコンクリートブロックの吊上げ用治具の脚体は多角形状の天枠の各角部に設けられていて、コンクリートブロック上に脚体を載せることで吊上げ用治具全体を安定した状態で設置できるようにすることも目的とするものであり、玉掛け作業や玉外し作業を安全にすることができ、
更に外面の形状がコンクリートブロックの側方の一部と同形を成し、天枠に対して鉛直方向に固定されているガイド板を有しているから、クレーンのフックから吊り下げられた本発明に係るコンクリートブロックの吊上げ用治具は、そのガイド板を同形のコンクリートブロックの側方に当接させるように移動させるだけで、的確にコンクリートブロック上に位置にさせることができ、更にその位置から吊上げ用治具を降ろしてくることによって、脚体をコンクリートブロック上に正確に載せることが容易にでき、
また脚体には天枠と反対側の端部に錘衝突緩衝材が設置されているから、クレーンのフックが急激に動き、クレーンフック用ワイヤの一端に取り付けられている錘が脚体の底に衝突しそうになった場合でも錘衝突緩衝材がクッションとなり脚体の破損を防ぐことができると共に、本発明に係るコンクリートブロックの吊上げ用治具を使用していない時などに錘が脚体の底から抜けることを防止することができ、
更に天枠の各角部の上部に、クレーンフック用ワイヤを脚体内に案内する滑車が取り付けられているから、クレーンフック用ワイヤが脚部の角等で傷付いて損傷することがなく、またそのクレーンフック用ワイヤの一端に取り付けられた錘を脚部内でスムーズに摺動自在に動かすことができるのである。
【図面の簡単な説明】
【００１３】
【図１】本発明に係るコンクリートブロックの吊上げ用治具の一実施例を示す斜視説明図である。
【図２】図１のコンクリートブロックの吊上げ用治具をクレーンのフックで吊り上げてビーハイブ型のコンクリートブロックへと近づけて行く様子を示す正面説明図である。
【図３】図１のコンクリートブロックの吊上げ用治具のガイド板を、同形のコンクリートブロックの側方に当接させて位置決めをし、各脚体をコンクリートブロック上に載せるように降ろして設置した状態を示す正面説明図である。
【図４】図３の状態から更にクレーンのフックを降ろした状態を示す正面説明図である。
【図５】図４の状態から、コンクリートブロックに固設されているワイヤ係止部材に、コンクリートブロック用玉掛けワイヤを玉掛けした様子を示す正面説明図である。
【図６】図５の状態から錘と中空筒状緩衝材とが再び係止するまでクレーンのフックを引き上げた状態を示す正面説明図である。
【図７】図６の状態から、更にクレーンのフックを引き上げて、コンクリートブロックが吊り上げられる様子を示す正面説明図である。
【図８】図７の平面説明図である。
【図９】図７の状態から、目的位置に移送して降下させ設置した様子を示す正面説明図である。
【図１０】図９の状態から、更にクレーンのフックを降ろして、コンクリートブロックのワイヤ係止部材から、コンクリートブロック用玉掛けワイヤを玉外しした様子を示す正面説明図である。
【図１１】コンクリートブロックの設置が終わった後に、次のコンクリートブロックの吊り上げ作業をするために、本発明に係るコンクリートブロックの吊上げ用治具を移送させる様子を示す正面説明図である。
【図１２】本発明に係るコンクリートブロックの吊上げ用治具の他の実施例を示す正面説明図である。
【図１３】図１２の平面説明図である。
【図１４】本発明に係るコンクリートブロックの吊上げ用治具の更に他の実施例を示す正面説明図である。
【図１５】図１４の平面説明図である。
【図１６】本発明に係るコンクリートブロックの吊上げ用治具の更に他の実施例を示す正面説明図である。
【図１７】図１６の平面説明図である。
【発明を実施するための形態】
【００１４】
以下、図面を用いて本発明に係るコンクリートブロックの吊上げ用治具について詳細に説明する。
【００１５】
図面中、Ｂはクレーンによって積み込み及び積み降ろしされるコンクリートブロックであり、Ｆはクレーンのワイヤの先端に取り付けられていて本発明に係るコンクリートブロックの吊上げ用治具が玉掛けされるフックである。このフックＦがワイヤの先端に取り付けられているクレーンは、重量物であるコンクリートブロックＢを吊り上げるものであるから大型であり、またこのクレーンは陸上に設置されたものだけでなく、起重機船のような船上に設置されたものであってもよい。
【００１６】
１は多角形状の金属製の天枠であり、この天枠１は四角形状のものに限らず、吊り上げるコンクリートブロックＢの形状に合わせて様々な多角形状のものが使用できる。この天枠１は、後述するように天枠１に掛け渡された桁材1aに玉掛けされているコンクリートブロック用玉掛けワイヤ２を介してコンクリートブロックＢを吊り下げるものであるから、十分な剛性や強度を有している必要がある。そのため、例えば天枠１としてＨ形鋼やＩ形鋼などの形鋼を溶接等により多角形状に形成させたものが好ましく使用でき、また多角形状の天枠１の外部又は内部に補強材を追加的に使用して剛性や強度を高めてもよい。
【００１７】
２は天枠１に掛け渡された桁材1aに玉掛けされておりコンクリートブロックＢを吊上げるためのコンクリートブロック用玉掛けワイヤであり、３は一端に錘3aが取り付けられていて他端がクレーンのフックＦに玉掛けされるクレーンフック用ワイヤであり、４は天枠１の各角部1bにそれぞれ天枠１に対して鉛直方向に固定されていて、中空筒状を成しその内部にクレーンフック用ワイヤ３の一端に取り付けられた錘3aが摺動自在に内在されており、天枠１側の端部にクレーンフック用ワイヤ３を通し錘3aは通さない大きさの内径を有する中空筒状緩衝材4aが、天枠１と反対側の端部に錘衝突緩衝材4bがそれぞれ設置されている脚体である。
【００１８】
コンクリートブロックＢを吊り上げていない状態では、コンクリートブロック用玉掛けワイヤ２は、クレーンフック用ワイヤ３とは無関係に、天枠１の各角部1bの脚体４内を摺動自在に動き得るので、コンクリートブロックＢに対する玉掛け作業や玉外し作業中に、急にクレーンのフックＦが動いてクレーンフック用ワイヤ３が引っ張られたりしても、クレーンフック用ワイヤ３は脚体４内を摺動するだけでコンクリートブロック用玉掛けワイヤ２は連動して動かないので、非常に安全に作業をすることができるのである。
【００１９】
５は天枠１の各角部1bの上部に取り付けられており、クレーンフック用ワイヤ３を脚体４内に案内する滑車であり、この滑車５によってクレーンフック用ワイヤ３が脚部４の角等で傷付いて損傷することがなく、またそのクレーンフック用ワイヤ３の一端に取り付けられた錘3aを脚部４内でスムーズに摺動自在に動かすことができるのである。
【００２０】
６は外面の形状がコンクリートブロックＢの側方Baの一部と同形を成し、天枠１に対して鉛直方向に固定されているガイド板であり、このガイド板６を同形のコンクリートブロックＢの側方Baに当接させるように移動させるだけで、本発明に係る吊上げ用治具を的確にコンクリートブロックＢ上に位置にさせることができ、更にその位置から本発明に係る吊上げ用治具を降ろしてくることによって、脚体４をコンクリートブロックＢ上に正確に載せることが容易にできるのである。
【００２１】
このような本発明に係るコンクリートブロックの吊上げ用治具を実際に使用して、例えば図１〜図１１の如き、ビーハイブ型で、予めワイヤ係止部材が固設されているコンクリートブロックＢを吊り上げるには、先ず図１のように、四角形状の天枠１の各角部1bから滑車５を介して伸びているクレーンフック用ワイヤ３をクレーンのフックＦに玉掛けする。そしてクレーンで本発明に係るコンクリートブロックの吊上げ用治具を吊り上げて、図２の如くビーハイブ型のコンクリートブロックＢへと近づけ、図３のように外面の形状がコンクリートブロックＢの側方Baの一部と同形を成し、天枠１に対して鉛直方向に固定されているガイド板６を、同形のコンクリートブロックＢの側方Baに当接させ、その位置から本発明に係る吊上げ用治具を降ろしていくことによって、正確にコンクリートブロックＢ上に設置する。
【００２２】
本発明に係るコンクリートブロックの吊上げ用治具が、図３のようにコンクリートブロックＢ上に設置された状態で、コンクリートブロック用玉掛けワイヤ２が撓むように、コンクリートブロック用玉掛けワイヤ２を脚体４の全長よりも僅かに長くしておくことで、コンクリートブロックＢに固設されているワイヤ係止部材に容易に玉掛けすることができる。
【００２３】
なお、この図３の状態では、クレーンフック用ワイヤ３の一端に取り付けられた錘3aが脚体４内で中空筒状緩衝材4aに当接した状態となっているので、クレーンが揺れてクレーンフック用ワイヤ３が引っ張られたりすると、錘3aが脚体４内で中空筒状緩衝材4aに当接して一体となっている天枠１も大きく揺れたりするので、この天枠１に一端が玉掛けされたコンクリートブロック用玉掛けワイヤ２の他端を、コンクリートブロックＢに玉掛けしようとすると非常に危険な作業となるのである。
【００２４】
そこで、図３のように、本発明に係るコンクリートブロックの吊上げ用治具をコンクリートブロックＢ上に設置した状態から、更に図４のようにクレーンのフックＦを降ろしてクレーンフック用ワイヤ３の錘3aを脚体４内で中空筒状緩衝材4aと錘衝突緩衝材4bとの間に位置させて、クレーンフック用ワイヤ３と脚体４との係止状態を解くようにすれば、クレーンが揺れても、クレーンフック用ワイヤ３は脚体４内を摺動するだけで、脚体４及び脚体４が固定されている天枠１も連動して動くようなことがないので、作業者はクレーンの揺れ等の影響を受けることなく、安全にコンクリートブロック用玉掛けワイヤ２の玉掛け作業をすることができるのである（図５）。
【００２５】
このようにコンクリートブロック用玉掛けワイヤ２を、コンクリートブロックＢに安全に玉掛けした後に、クレーンのフックＦを引き上げていくと、図６の如くクレーンフック用ワイヤ３の一端に取り付けられた錘3aは脚体４内の中空筒状緩衝材4aに当接するまで脚体４内を上方へ向けて摺動する。この間はクレーンフック用ワイヤ３のみが引き上げられるだけで、他の天枠１や脚体４等は動かない。そしてこの図６の状態から更にクレーンのフックＦが引き上げられると、図７の如く錘3aが脚体４内の中空筒状緩衝材4aに当接した状態で引き上げられるので、天枠１及び脚体４も吊り上げられ、脚体４はコンクリートブロックＢから浮いた状態となり、また天枠１に掛け渡された桁材1aに玉掛けされたコンクリートブロック用玉掛けワイヤ２も徐々に引き上げられて張った状態となり、遂にはコンクリートブロックＢが吊り上げられるのである。
【００２６】
このようにして吊り上げられたコンクリートブロックＢを目的の位置までクレーンで移動させて破線で示す状態から実線で示す状態に降ろし（図９）、更にクレーンのフックＦを引き下げて、クレーンフック用ワイヤ３の錘3aを脚体４内で中空筒状緩衝材4aと錘衝突緩衝材4bとの間に位置させて、クレーンフック用ワイヤ３と脚体４との係止状態を解き、クレーンのフックＦが揺れたりしても、クレーンフック用ワイヤ３が脚体４内で摺動するだけの状態にした後に、コンクリートブロック用玉掛けワイヤ２を、コンクリートブロックＢに固設されているワイヤ係止部材から玉外しするのである（図１０）。
【００２７】
このように１つのコンクリートブロックＢを移送した後に、次のコンクリートブロックＢを移送する場合には、クレーンのフックＦに本発明に係る吊上げ用治具を玉掛けしたまま、移送したいコンクリートブロックＢの場所まで移動させ（図１１）、上述の作業を繰り返せばよいのである。
【００２８】
また図１２及び図１３のような直方体状をなす方塊のようなコンクリートブロックＢの場合も、予めワイヤ係止部材が固設されている態様であるから、前記のビーハイブ型のコンクリートブロックＢと同様な作業によってコンクリートブロックＢを吊り上げて移送すればよい。なお、直方体状の方塊の場合、コンクリートブロックＢの側方Baにガイド板６を嵌め込むことができるような部位が無いので、図１２及び図１３の如く、直方体状の方塊の四隅の一つに直角に折曲されたような形状を成すガイド板６を使用すればよい。
【００２９】
次にコンクリートブロックＢが、図１４及び図１５の如く、ホロースケヤ型で予めワイヤ係止部材が固設されていない場合には、先ず各脚体４をコンクリートブロックＢ上に載せるようにして本発明に係る吊上げ用治具を設置し、クレーンフック用ワイヤ３の錘3aを脚体４内で中空筒状緩衝材4aと錘衝突緩衝材4bとの間に位置させる。次にこのコンクリートブロックＢの四隅は上下方向に突出しているので、例えばこれらの４つのうち対角線上の２つの突出部にコンクリートブロック用玉掛けワイヤ２をそれぞれ掛け渡して天枠１の桁材1aに玉掛けする。この場合においても、急にクレーンのフックＦが動いてクレーンフック用ワイヤ２が引っ張られたりしても、クレーンフック用ワイヤ２は脚体４内を摺動するだけでコンクリートブロック用玉掛けワイヤ３は連動して動かないので、安全且つ確実な作業をすることができるのである。
【００３０】
そして、クレーンのフックＦを引き上げれば、図１４の如くクレーンフック用ワイヤ３の一端に取り付けられた錘3aは、脚体４内の中空筒状緩衝材4aに当接するまで脚体４内を上方へ向けて摺動し、最終的にはコンクリートブロックＢを吊り上げることができるのである。
【００３１】
次に、コンクリートブロックＢが四脚型の消波ブロックであって、予めワイヤ係止部材が固設されていない態様の場合には、図１６及び図１７のように、コンクリートブロックＢの下方側の三脚にそれぞれ脚体４を載せて本発明に係る吊上げ用治具全体を安定した状態で設置できるように三角形状の天枠１を使用する。その際、ガイド板６は天枠１と少し離れた位置に取り付ける必要があるので、ガイド板６は三角形状の天枠１から外側に向けて補強材を延設してそこに装着すればよい。また必要に応じてこの三角形状の天枠１の外部又は内部に補強材を追加的に使用して剛性や強度を高めてもよい。
【００３２】
そして実際にコンクリートブロック用玉掛けワイヤ２を掛け渡すには、図１６及び図１７のように、例えば下方側の３脚のうちの１脚の下を通し、残りの１脚である立脚部に掛け回した後に、三角形状の天枠１の桁材1aに玉掛けすれば、前記ホロースケヤ型のコンクリートブロックＢと同様に安全に玉掛け作業ができ、確実にコンクリートブロックＢを吊り上げることができるのである。
【符号の説明】
【００３３】
Ｂ  コンクリートブロック
Ba  側方
Ｆ  フック
１  天枠
1a  桁材
1b  角部
２  コンクリートブロック用玉掛けワイヤ
３  クレーンフック用ワイヤ
3a  錘
４  脚体
4a  中空筒状緩衝材
4b  錘衝突緩衝材
５  滑車
６  ガイド板
【図１】
0005731311.tif 000002
【図２】
0005731311.tif 000003
【図３】
0005731311.tif 000004
【図４】
0005731311.tif 000005
【図５】
0005731311.tif 000006
【図６】
0005731311.tif 000007
【図７】
0005731311.tif 000008
【図８】
0005731311.tif 000009
【図９】
0005731311.tif 000010
【図１０】
0005731311.tif 000011
【図１１】
0005731311.tif 000012
【図１２】
0005731311.tif 000013
【図１３】
0005731311.tif 000014
【図１４】
0005731311.tif 000015
【図１５】
0005731311.tif 000016
【図１６】
0005731311.tif 000017
【図１７】
0005731311.tif 000018